(57)【特許請求の範囲】
【請求項１】
患者の部位を診断又は治療するＸ線装置において、
前記患者毎の個人情報と前記部位毎の限界被曝量とから前記患者毎かつ前記部位毎に、許容被曝量及びその許容被曝量に基づく１段階以上の許容被曝量閾値を記憶する許容被曝量記憶手段と、
前記Ｘ線装置の条件毎かつ前記部位毎に、予想被曝量を記憶する予想被曝量記憶手段と、
所要患者、複数の所要部位及び前記Ｘ線装置の所要条件を設定し、前記所要条件及び前記複数の所要部位に相当する複数の予想被曝量を前記予想被曝量記憶手段からそれぞれ読み込み、前記所要患者及び前記複数の所要部位に相当する複数の許容被曝量閾値を前記段階毎に前記許容被曝量記憶手段からそれぞれ読み込み、前記読み込まれた各許容被曝量閾値と前記読み込まれた各予想被曝量とを前記所要部位毎に比較することで前記複数の所要部位の全てに相当する予想被曝量が前記複数の許容被曝量閾値以下であるかを前記段階毎に判断すると共に、前記所要患者及び前記複数の所要部位に相当する複数の許容被曝量を前記許容被曝量記憶手段からそれぞれ読み込み、前記読み込まれた各許容被曝量と前記読み込まれた各予想被曝量とを前記所要部位毎に比較することで前記複数の所要部位の全てに相当する予想被曝量が前記複数の許容被曝量以下であるかを判断することによって、前記所要条件にて前記所要患者を診断又は治療する際の予想被曝量を３以上のリスクレベルで評価する評価手段と、
前記リスクレベルに応じて異なる出力を行なう出力手段と、
が備えられたことを特徴とする放射線被曝量評価システム。
【請求項２】
患者の部位を診断又は治療するＸ線装置において、
前記患者毎の個人情報と前記部位毎の限界被曝量とから前記患者毎かつ前記部位毎に、許容被曝量を記憶する許容被曝量記憶手段と、
前記Ｘ線装置の条件毎かつ前記部位毎に、予想被曝量を記憶する予想被曝量記憶手段と、
診断又は治療中に、所要患者、複数の所要部位及び前記Ｘ線装置の所要条件を基に前記複数の所要部位に相当する複数の実被曝積算量を算出して、前記所要条件及び前記複数の所要部位に相当する複数の予想被曝量を前記予想被曝量記憶手段からそれぞれ読み込み、前記各実被曝積算量と前記読み込まれた各予想被曝量とを前記所要部位毎に比較することで前記複数の所要部位の全てに相当する実被曝積算量が前記複数の予想被曝量以下であるかを判断すると共に、前記所要患者及び前記複数の所要部位に相当する複数の許容被曝量を前記許容被曝量記憶手段からそれぞれ読み込み、前記各実被曝積算量と前記読み込まれた各許容被曝量とを前記所要部位毎に比較することで前記複数の所要部位の全てに相当する実被曝積算量が前記複数の許容被曝量以下であるかを判断することによって、前記所要条件にて前記所要患者を診断又は治療する際の実被曝積算量を３以上のリスクレベルで評価する評価手段と、
前記リスクレベルに応じて異なる出力を行なう出力手段と、
が備えられたことを特徴とする放射線被曝量評価システム。
【請求項３】
前記予想被曝量記憶手段は、前記Ｘ線装置の条件毎かつ前記部位毎に、前記予想被曝量に基づく１段階以上の予想被曝量閾値を記憶し、
前記評価手段は、前記所要条件及び前記複数の所要部位に相当する複数の予想被曝量閾値を前記段階毎に前記予想被曝量記憶手段からそれぞれ読み込み、前記各実被曝積算量と前記読み込まれた各予想被曝量閾値とを前記所要部位毎に比較することで前記複数の所要部位の全てに相当する実被曝積算量が前記複数の予想被曝量閾値以下であるかを前記段階毎に判断することを特徴とする請求項２に記載の放射線被曝量評価システム。
【請求項４】
前記許容被曝量記憶手段は、前記患者毎かつ前記部位毎に、前記許容被曝量に基づく１段階以上の許容被曝量閾値を記憶し、
前記評価手段は、前記所要患者及び前記複数の所要部位に相当する複数の許容被曝量閾値を前記段階毎に前記許容被曝量記憶手段からそれぞれ読み込み、前記各実被曝積算量と前記読み込まれた各許容被曝量閾値とを前記所要部位毎に比較することで前記複数の所要部位の全てに相当する実被曝積算量が前記複数の許容被曝量閾値以下であるかを前記段階毎に判断することを特徴とする請求項２に記載の放射線被曝量評価システム。
【請求項５】
前記複数の許容被曝量、前記複数の予想被曝量及び前記複数の実被曝積算量をグラフにて前記所要部位毎に表示する表示手段がさらに備えられたことを特徴とする請求項２に記載の放射線被曝量評価システム。
【請求項６】
患者の部位を診断又は治療するＸ線装置の動作において、
診断又は治療前に、前記患者毎の個人情報と前記部位毎の限界被曝量とから前記患者毎かつ前記部位毎に、許容被曝量及びその許容被曝量に基づく１段階以上の許容被曝量閾値が記憶される許容被曝量記憶工程と、
診断又は治療前に、前記Ｘ線装置の条件毎かつ前記部位毎に、予想被曝量が記憶される予想被曝量記憶工程と、
診断又は治療前に、所要患者、複数の所要部位及び前記Ｘ線装置の所要条件が設定され、前記所要条件及び前記複数の所要部位に相当する複数の予想被曝量がそれぞれ読み込まれ、前記所要患者及び前記複数の所要部位に相当する複数の許容被曝量閾値が前記段階毎にそれぞれ読み込まれ、前記読み込まれた各許容被曝量閾値と前記読み込まれた各予想被曝量とが前記所要部位毎に比較されることで前記複数の所要部位の全てに相当する予想被曝量が前記複数の許容被曝量閾値以下であるかが前記段階毎に判断されると共に、前記所要患者及び前記複数の所要部位に相当する複数の許容被曝量がそれぞれ読み込まれ、前記読み込まれた各許容被曝量と前記読み込まれた各予想被曝量とが前記所要部位毎に比較されることで前記複数の所要部位の全てに相当する予想被曝量が前記複数の許容被曝量以下であるかが判断されることによって、前記所要条件にて前記所要患者を診断又は治療する際の予想被曝量が３以上のリスクレベルで評価される評価工程と、
前記リスクレベルに応じて異なる出力を行なわれる出力工程と、
を有することを特徴とする放射線被曝量評価方法。
【請求項７】
前記複数の許容被曝量及び前記複数の予想被曝量がグラフにて前記所要部位毎に表示される表示工程をさらに有することを特徴とする請求項６に記載の放射線被曝量評価方法。
【請求項８】
患者の部位を診断又は治療するＸ線装置の動作方法において、
診断又は治療前に、前記患者毎の個人情報と前記部位毎の限界被曝量とから前記患者毎かつ前記部位毎に、許容被曝量が記憶される許容被曝量記憶工程と、
診断又は治療前に、前記Ｘ線装置の条件毎かつ前記部位毎に、予想被曝量が記憶される予想被曝量記憶工程と、
診断又は治療中に、所要患者、複数の所要部位及び前記Ｘ線装置の所要条件にて計測される実被曝量を基に前記複数の所要部位に相当する複数の実被曝積算量が算出され、前記所要条件及び前記複数の所要部位に相当する複数の予想被曝量がそれぞれ読み込まれ、前記各実被曝積算量と前記読み込まれた各予想被曝量とが前記所要部位毎に比較されることで前記複数の所要部位の全てに相当する実被曝積算量が前記複数の予想被曝量以下であるかが判断されると共に、前記所要患者及び前記複数の所要部位に相当する複数の許容被曝量がそれぞれ読み込まれ、前記各実被曝積算量と前記読み込まれた各許容被曝量とが前記所要部位毎に比較されることで前記複数の所要部位の全てに相当する実被曝積算量が前記複数の許容被曝量以下であるかが判断されることによって、前記所要条件にて前記所要患者を診断又は治療する際の実被曝積算量が３以上のリスクレベルで評価される評価工程と、
前記リスクレベルに応じて異なる出力が行なわれる出力工程と、
を有することを特徴とする放射線被曝量評価方法。
【請求項９】
前記予想被曝量記憶工程では、前記Ｘ線装置の条件毎かつ前記部位毎に、前記予想被曝量に基づく１段階以上の予想被曝量閾値が記憶され、
前記評価工程では、前記所要条件及び前記複数の所要部位に相当する複数の予想被曝量閾値が前記段階毎にそれぞれ読み込まれ、前記各実被曝積算量と前記読み込まれた各予想被曝量閾値とが前記所要部位毎に比較されることで前記複数の所要部位の全てに相当する実被曝積算量が前記複数の予想被曝量閾値以下であるかが前記段階毎に判断されることを特徴とする請求項８に記載の放射線被曝量評価方法。
【請求項１０】
前記許容被曝量記憶工程では、前記患者毎かつ前記部位毎に、前記許容被曝量に基づく１段階以上の許容被曝量閾値が記憶され、
前記評価工程では、前記所要患者及び前記複数の所要部位に相当する複数の許容被曝量閾値が前記段階毎にそれぞれ読み込まれ、前記各実被曝積算量と前記読み込まれた各許容被曝量閾値とが前記所要部位毎に比較されることで前記複数の所要部位の全てに相当する実被曝積算量が前記複数の許容被曝量閾値以下であるかが前記段階毎に判断されることを特徴とする請求項８に記載の放射線被曝量評価方法。
【請求項１１】
前記複数の許容被曝量、前記複数の予想被曝量及び前記複数の実被曝積算量がグラフにて前記所要部位毎に表示される表示工程をさらに有することを特徴とする請求項８に記載の放射線被曝量評価方法。
【発明の詳細な説明】
【技術分野】
【０００１】
本発明は、Ｘ線装置を用いた患者の医療被曝の評価技術に関するものであり、特に、診断又は治療前に予想被曝量を部位毎に表示・評価したり、診断又は治療中に実被曝積算量を部位毎にリアルタイム表示・評価したりする放射線被曝量評価システム及びその評価方法に関するものである。
【背景技術】
【０００２】
放射線による診断又は治療を受ける患者の被曝は医療被曝であり、法的に線量限度を定めず、医療に対して責任を担う医師の判断に委ねられる。
【０００３】
医療被曝には線量限度を定めず、医療に対して責任を担う医師の判断に委ねられる理由として、（１）放射線の医療利用による利益がはっきりしていること、（２）線量限度として一律な値を示すことができないこと、（３）医師をはじめとする医療担当者は患者の被曝量の減少について必要な知識をもち常に努力していること、等が挙げられる。
【０００４】
従来のＸ線診断装置では、２次元又は３次元の人体モデル上に被曝領域と実被曝量とを表示する（例えば、特許文献１参照。）。このＸ線診断装置にてカテーテル術であるＩＶＲ（Interventional Radiology）を用いると、患者の被曝量は、透視被曝と撮影被曝の合算となる。透視被曝は透視線量率と総透視時間で、撮影被曝は撮影フレーム数と１フレーム当たりの線量でそれぞれ決まる。
【特許文献１】特開２０００−１５２９２４号公報（第５頁−第９頁、図１及び図２）
【発明の開示】
【発明が解決しようとする課題】
【０００５】
しかしながら、ＩＶＲでは、手技又は内容により長時間の透視と撮影が繰返される。その結果、患者のＸ線入射側の皮膚線量が確定的影響の閾値を超え、患者に皮膚障害等が発生することがある。
【０００６】
また、患者における限界被曝量については一般的に部位毎に定められているが、患者の個人情報次第では、患者によって、及び同一患者でも部位によって、その許容されうる許容被曝量は異なってくる。しかしながら、患者毎かつ部位毎に対応した許容被曝量を、予想被曝量及び実被曝積算量の評価基準とするシステムはない。
【０００７】
さらに、予想被曝量についてはＸ線診断装置の条件（Ｘ線条件及びＸ線装置位置条件等）によって異なってくるが、Ｘ線診断装置の条件毎かつ部位毎に対応した予想被曝量を、実被曝量の評価基準とするシステムはない。
【０００８】
よって、従来のＸ線診断装置では、診療又は治療計画の段階で、患者毎、部位毎及びＸ線診断装置の条件毎に、許容被曝量と予想被曝量とを比較して、予想される被曝量の妥当性を部位毎に検討することができなかった。
【０００９】
さらに、従来のＸ線診断装置では、診断又は治療中（臨床時）に、患者の実被曝量を表示することができる。しかし、実被曝量の妥当性は、患者毎、部位毎及びＸ線診断装置の条件毎に差があるものであるが、診断又は治療中の患者毎、部位毎及びＸ線診断装置の条件毎に、許容被曝量及び予想被曝量と実被曝積算量とを比較して、実際に受けたＸ線量の積算の妥当性を部位毎にリアルタイムに検討することができなかった。
【００１０】
本発明は、上述した事情を考慮してなされたもので、診断又は治療前の診断又は治療計画の段階で、所要患者における所要部位の診断又は治療計画の妥当性を適正に判断できる放射線被曝量評価システム及びその評価方法を提供することを目的とする。
【００１１】
また、本発明の他の目的は、診断又は治療中、所要患者における所要部位の診断又は治療の妥当性を適正にリアルタイムに判断できる放射線被曝量評価システム及びその評価方法を提供することにある。
【課題を解決するための手段】
【００１２】
本発明に係る放射線被曝量評価システムは、上述した課題を解決するために、患者の部位を診断又は治療するＸ線装置において、前記患者毎の個人情報と前記部位毎の限界被曝量とから前記患者毎かつ前記部位毎に、許容被曝量及びその許容被曝量に基づく１段階以上の許容被曝量閾値を記憶する許容被曝量記憶手段と、前記Ｘ線装置の条件毎かつ前記部位毎に、予想被曝量を記憶する予想被曝量記憶手段と、所要患者、複数の所要部位及び前記Ｘ線装置の所要条件を設定し、前記所要条件及び前記複数の所要部位に相当する複数の予想被曝量を前記予想被曝量記憶手段からそれぞれ読み込み、前記所要患者及び前記複数の所要部位に相当する複数の許容被曝量閾値を前記段階毎に前記許容被曝量記憶手段からそれぞれ読み込み、前記読み込まれた各許容被曝量閾値と前記読み込まれた各予想被曝量とを前記所要部位毎に比較することで前記複数の所要部位の全てに相当する予想被曝量が前記複数の許容被曝量閾値以下であるかを前記段階毎に判断すると共に、前記所要患者及び前記複数の所要部位に相当する複数の許容被曝量を前記許容被曝量記憶手段からそれぞれ読み込み、前記読み込まれた各許容被曝量と前記読み込まれた各予想被曝量とを前記所要部位毎に比較することで前記複数の所要部位の全てに相当する予想被曝量が前記複数の許容被曝量以下であるかを判断することによって、前記所要条件にて前記所要患者を診断又は治療する際の予想被曝量を３以上のリスクレベルで評価する評価手段と、前記リスクレベルに応じて異なる出力を行なう出力手段と、が備えられた。
【００１３】
また、本発明に係る放射線被曝量評価システムは、患者の部位を診断又は治療するＸ線装置において、前記患者毎の個人情報と前記部位毎の限界被曝量とから前記患者毎かつ前記部位毎に、許容被曝量を記憶する許容被曝量記憶手段と、前記Ｘ線装置の条件毎かつ前記部位毎に、予想被曝量を記憶する予想被曝量記憶手段と、診断又は治療中に、所要患者、複数の所要部位及び前記Ｘ線装置の所要条件を基に前記複数の所要部位に相当する複数の実被曝積算量を算出して、前記所要条件及び前記複数の所要部位に相当する複数の予想被曝量を前記予想被曝量記憶手段からそれぞれ読み込み、前記各実被曝積算量と前記読み込まれた各予想被曝量とを前記所要部位毎に比較することで前記複数の所要部位の全てに相当する実被曝積算量が前記複数の予想被曝量以下であるかを判断すると共に、前記所要患者及び前記複数の所要部位に相当する複数の許容被曝量を前記許容被曝量記憶手段からそれぞれ読み込み、前記各実被曝積算量と前記読み込まれた各許容被曝量とを前記所要部位毎に比較することで前記複数の所要部位の全てに相当する実被曝積算量が前記複数の許容被曝量以下であるかを判断することによって、前記所要条件にて前記所要患者を診断又は治療する際の実被曝積算量を３以上のリスクレベルで評価する評価手段と、前記リスクレベルに応じて異なる出力を行なう出力手段と、が備えられた。
【００１４】
本発明に係る放射線被曝量評価方法は、上述した課題を解決するために、患者の部位を診断又は治療するＸ線装置の動作において、診断又は治療前に、前記患者毎の個人情報と前記部位毎の限界被曝量とから前記患者毎かつ前記部位毎に、許容被曝量及びその許容被曝量に基づく１段階以上の許容被曝量閾値が記憶される許容被曝量記憶工程と、診断又は治療前に、前記Ｘ線装置の条件毎かつ前記部位毎に、予想被曝量が記憶される予想被曝量記憶工程と、診断又は治療前に、所要患者、複数の所要部位及び前記Ｘ線装置の所要条件が設定され、前記所要条件及び前記複数の所要部位に相当する複数の予想被曝量がそれぞれ読み込まれ、前記所要患者及び前記複数の所要部位に相当する複数の許容被曝量閾値が前記段階毎にそれぞれ読み込まれ、前記読み込まれた各許容被曝量閾値と前記読み込まれた各予想被曝量とが前記所要部位毎に比較されることで前記複数の所要部位の全てに相当する予想被曝量が前記複数の許容被曝量閾値以下であるかが前記段階毎に判断されると共に、前記所要患者及び前記複数の所要部位に相当する複数の許容被曝量がそれぞれ読み込まれ、前記読み込まれた各許容被曝量と前記読み込まれた各予想被曝量とが前記所要部位毎に比較されることで前記複数の所要部位の全てに相当する予想被曝量が前記複数の許容被曝量以下であるかが判断されることによって、前記所要条件にて前記所要患者を診断又は治療する際の予想被曝量が３以上のリスクレベルで評価される評価工程と、前記リスクレベルに応じて異なる出力を行なわれる出力工程と、を有する。
【００１５】
また、本発明に係る放射線被曝量評価方法は、患者の部位を診断又は治療するＸ線装置の動作方法において、診断又は治療前に、前記患者毎の個人情報と前記部位毎の限界被曝量とから前記患者毎かつ前記部位毎に、許容被曝量が記憶される許容被曝量記憶工程と、診断又は治療前に、前記Ｘ線装置の条件毎かつ前記部位毎に、予想被曝量が記憶される予想被曝量記憶工程と、診断又は治療中に、所要患者、複数の所要部位及び前記Ｘ線装置の所要条件にて計測される実被曝量を基に前記複数の所要部位に相当する複数の実被曝積算量が算出され、前記所要条件及び前記複数の所要部位に相当する複数の予想被曝量がそれぞれ読み込まれ、前記各実被曝積算量と前記読み込まれた各予想被曝量とが前記所要部位毎に比較されることで前記複数の所要部位の全てに相当する実被曝積算量が前記複数の予想被曝量以下であるかが判断されると共に、前記所要患者及び前記複数の所要部位に相当する複数の許容被曝量がそれぞれ読み込まれ、前記各実被曝積算量と前記読み込まれた各許容被曝量とが前記所要部位毎に比較されることで前記複数の所要部位の全てに相当する実被曝積算量が前記複数の許容被曝量以下であるかが判断されることによって、前記所要条件にて前記所要患者を診断又は治療する際の実被曝積算量が３以上のリスクレベルで評価される評価工程と、前記リスクレベルに応じて異なる出力が行なわれる出力工程と、を有する。
【発明の効果】
【００１６】
本発明に係る放射線被曝量評価システム及びその評価方法によると、診断又は治療前に、所要患者における所要部位の診断又は治療計画の妥当性を適正に判断できる。
【００１７】
また、本発明に係る放射線被曝量評価システム及びその評価方法によると、診断又は治療中に、所要患者における所要部位の診断又は治療の妥当性を適正にリアルタイムに判断できる。
【発明を実施するための最良の形態】
【００１８】
以下、本発明に係る放射線被曝量評価システム及びその評価方法の実施の形態について、添付図面を参照して説明する。
【００１９】
図１は、本発明に係る放射線被曝量評価システムの実施の形態を示す概略図である。
【００２０】
図１は、放射線被曝量評価システム１０と、一般的なＸ線装置、例えば患者の診断又は治療を行なうＸ線診断装置１１、とを示し、この放射線被曝量評価システム１０には、患者毎の個人情報（年齢、性別、体格及び過去の被曝積算量）と一般的に知られる部位毎の限界被曝量（ｍＳｖ）とから患者毎かつ部位毎の許容被曝量（ｍＳｖ）を許容被曝量テーブルとしてそれぞれ設定・記憶する許容被曝量設定・記憶手段１２と、Ｘ線診断装置１１の条件毎かつ部位毎の予想被曝量（ｍＳｖ）を予想被曝量テーブルとしてそれぞれ設定・記憶する予想被曝量設定・記憶手段１３と、診断又は治療前に予想被曝量のリスクレベルを評価すると共に、診断又は治療中に所要患者が実際に受けた被曝量（以下、「実被曝量」という。）を積算して実被曝積算量のリスクレベルを評価する予想被曝量・実被曝積算量評価手段１４とが備えられる。
【００２１】
許容被曝量設定・記憶手段１２には、患者の個人情報を記憶する患者情報記憶器２１と、一般的に知られる部位毎の限界被曝量を記憶する限界被曝量記憶器２２と、限界被曝量を個人情報にて補正して、許容被曝量及び許容被曝量閾値（以下、「許容被曝量等」という。）を患者毎かつ部位毎にそれぞれ設定する許容被曝量設定器２３と、この許容被曝量設定器２３にて設定された患者毎かつ部位毎の許容被曝量を許容被曝量テーブルとして記憶する許容被曝量記憶器２４とが設けられる。
【００２２】
図２は、許容被曝量テーブルの一例を示すものである。
【００２３】
図２に示された許容被曝量テーブルには、患者毎（患者Ａ，Ｂ，Ｃ，…）かつ部位毎（部位１，２，３，４，…）に、許容被曝量等がそれぞれ設定され記憶されている。
【００２４】
一方、図１に示された予想被曝量設定・記憶手段１３には、Ｘ線診断装置１１の条件毎かつ各部位に予想被曝量をそれぞれ設定する予想被曝量設定器３１と、この予想被曝量設定器３１にて設定された条件毎かつ部位毎の予想被曝量及び予想被曝量閾値（以下、「予想被曝量等」という。）を予想被曝量テーブルとして記憶する予想被曝量記憶器３２とが設けられる。
【００２５】
図３は、予想被曝量テーブルの一例を示すものである。
【００２６】
図３に示された予想被曝量テーブルには、Ｘ線診断装置１１の条件毎（透視条件ａ１，透視条件ａ２，透視条件ａ３，…，撮影条件ｂ１，撮影条件ｂ２，撮影条件ｂ３，…）かつ部位毎（部位１，２，３，４，…）に、予想被曝量等がそれぞれ設定されて記憶されている。
【００２７】
図１に示された予想被曝量・実被曝積算量評価手段１４には、予想被曝量のリスクレベルのシミュレーションを実施しようとする所要患者を設定する所要患者設定器４１と、所要患者における所要部位を設定する所要部位設定器４２と、Ｘ線透視に関するＸ線診断装置１１の条件を設定する透視条件設定器４３と、Ｘ線撮影に関するＸ線診断装置１１の条件を設定する撮影条件設定器４４とが設けられる。
【００２８】
さらに、予想被曝量・実被曝積算量評価手段１４には、診断又は治療前に、所要患者設定器４１及び所要部位設定器４２にて設定された所要患者及び所要部位に相当する所要許容被曝量等を許容被曝量記憶器２４から読み込む一方、所要部位設定器４２、透視条件設定器４３及び撮影条件設定器４４にて設定された所要部位及び所要条件に相当する所要予想被曝量を予想被曝量記憶器３２から読み込んで、所要許容被曝量等と所要予想被曝量とを比較する比較・評価器４６と、この比較・評価器４６にて比較された結果を出力する表示器４７とが設けられる。
【００２９】
加えて、比較・評価器４６は、Ｘ線診断装置１１を用いた診断又は治療中（臨床時）に、許容被曝量記憶器２４から読み込まれた所要患者及び所要部位に相当する所要許容被曝量等と、診断又は治療中に計測された実被曝量から算出された実被曝積算量とを比較し、また、予想被曝量記憶器３２から読み込まれた所要条件及び所要部位に相応する所要予想被曝量等と、実被曝積算量とを比較することができる。さらに、その比較結果が表示器４７に出力される。
【００３０】
また、図１に示されたＸ線診断装置１１は、Ｘ線管が寝台天板の下方に位置するアンダーテーブルの場合として示される。なお、Ｘ線診断装置１１は、Ｘ線管が寝台天板の上方に位置するオーバーテーブルの場合でもよい。
【００３１】
Ｘ線診断装置１１には、大きくは、保持装置５１及び本体制御装置５２が備えられる。保持装置５１のＣアーム（図示しない）の一端には、本体制御装置５２から高電圧電力の供給を受けて、この高電圧電力の条件に応じてＸ線を曝射するＸ線管５５と、Ｘ線管５５の出射側にシリコンゴム等で形成されハレーションを防止するために所定量の照射Ｘ線を減衰させる補償フィルタ５６と、出射Ｘ線を絞って不要部位へのＸ線照射を防ぐ、複数枚の鉛羽で構成されるＸ線照射野絞り５７と、所要患者における所要部位の受ける実被曝量をリアルタイムに計測する線量計５８とが設けられる。
【００３２】
また、寝台天板６０を挟んだＣアームのもう一方の端部に設けられるＸ線ＴＶ装置６１には、透過Ｘ線を入射させるＩ．Ｉ．（Image Intensifier）６２が設置され、このＩ．Ｉ．６２の出力側には変換された光学像を適切な大きさに補正する光学系６４と、補正された光学像をＴＶ映像信号に変換するＴＶカメラ（又は撮影素子）６５とが具備される。Ｉ．Ｉ．６２は、図示しない入力蛍光面、光電陰極、収束（フォーカス）電極、陽極及び出力蛍光面で構成される大形の真空管、入力窓並びに高圧電源等からなり、ＴＶカメラ６５のＴＶ映像信号は、本体制御装置５２に送られるようになっている。なお、Ｉ．Ｉ．６２からＴＶカメラ６５までの映像系は、平面検出器に置き換えられてもよい。
【００３３】
本体制御装置５２では、Ｘ線管５５、Ｘ線照射野絞り５７、寝台天板６０及びＩ．Ｉ．６２等の制御を行なうことができ、所要患者における所要部位の透視・撮影像を表示させたり、画像に対し拡大／諧調／空間フィルタ処理、及びノイズを除去するための加算処理等を行なったりすることができる。
【００３４】
次いで、放射線被曝量評価システム１０を用いた放射線被曝量評価方法について、図４に示されたフローチャートを用いて説明する。
【００３５】
まず、診断又は治療前に、患者毎の個人情報（年齢、性別、体格及び過去の被曝積算量等）が、許容被曝量設定・記憶手段１２の患者情報記憶器２１に入力され、記憶される（ステップＳ１）。
【００３６】
一方、一般的に知られる部位毎の限界被曝量（ｍＳｖ）が、許容被曝量設定・記憶手段１２の限界被曝量記憶器２２に入力され、記憶される（ステップＳ２）。
【００３７】
ステップＳ１にて記憶された患者毎の個人情報と、ステップＳ２にて記憶された部位毎の限界被曝量とが許容被曝量設定器２３に読み込まれ、許容被曝量設定器２３にて限界被曝量が患者毎かつ部位毎にそれぞれ補正され、許容被曝量（ｍＳｖ）が算出される。また、患者毎かつ部位毎のそれぞれの許容被曝量閾値（ｍＳｖ）、例えば許容被曝量の９０％の被曝量、が設定される。
【００３８】
ここで、年齢による限界被曝量の補正では、患者が成年者の場合は限界被曝量を許容被曝量とし、未成年者の場合は限界被曝量に所要係数、例えば０．８、を乗じて部位毎に許容被曝量を求める。性別及び体格による限界被曝量の補正についても、年齢による限界被曝量の補正と同様に、患者を場合分けして限界被曝量に所要係数をそれぞれ乗じて許容被曝量を求める。また、過去の被曝積算量による限界被曝量の補正では、限界被曝量から過去の被曝積算量を減算して部位毎に許容被曝量を求める。
【００３９】
なお、患者毎かつ部位毎の許容被曝量には、放射線診療従事者（医師及び医療放射線技師等）によって判断される診断主義が加味されてもよい。診断主義が加味される場合、放射線診療従事者によって患者毎かつ部位毎の許容被曝量がマニュアルで補正される。
【００４０】
患者毎かつ部位毎のそれぞれの許容被曝量等は許容被曝量記憶器２４に入力され、図２に示された許容被曝量テーブルのように、許容被曝量記憶器２４に記憶される（ステップＳ３）。
【００４１】
続いて、放射線被曝量評価システム１０の予想被曝量設定・記憶手段１３に設ける予想被曝量設定器３１にて予想被曝量（ｍＳｖ）がＸ線診断装置１１の条件毎かつ部位毎にそれぞれ算出される。部位毎のそれぞれの予想被曝量は、Ｘ線診断装置１１の各種条件から表面線量簡易換算式（ＮＤＤ：Non Dosimeter Dosimetry）によって表面入射線量として算出される。また、Ｘ線診断装置１１の条件毎かつ部位毎のそれぞれの予想被曝量閾値、例えば予想被曝量の９０％の被曝量、が設定される。
【００４２】
Ｘ線診断装置１１の条件には、Ｘ線条件や保持装置位置条件があり、Ｘ線条件には、管電圧（ｋＶ）、管電流（ｍＡ）、Ｘ線照射時間（ｍｓｅｃ．）、補償フィルタ５６及びＸ線照射野絞り５７の開口度等がある。また、保持装置位置条件には、Ｃアーム（図示しない）のＬＡＯ／ＲＡＯ、ＣＲＡ／ＣＡＵ及びＳＩＤ（Source-Image Distance）がある。
【００４３】
Ｘ線診断装置１１の条件毎かつ部位毎のそれぞれの予想被曝量等は予想被曝量記憶器３２に入力され、図３に示された予想被曝量テーブルのように、予想被曝量記憶器３２に記憶される（ステップＳ４）。
【００４４】
続いて、診断又は治療計画が検討される。
【００４５】
まず、予想被曝量・実被曝積算量評価手段１４に設ける所要患者設定器４１に、予想被曝量及び実被曝積算量のリスクレベルのシミュレーションを実施しようとする所要患者、例えば患者Ａ、が入力され設定される（ステップＳ５）。加えて、所要部位設定器４２に、予想被曝量及び実被曝積算量のリスクレベルのシミュレーションを実施しようとする所要部位、例えば部位１，２，３，４が入力され設定される（ステップＳ６）。
【００４６】
さらに、予想被曝量・実被曝積算量評価手段１４に設ける透視条件設定器４３及び撮影条件設定器４４の少なくとも一方に、予想被曝量及び実被曝積算量のリスクレベルのシミュレーションを実施しようとするＸ線診断装置１１の所要条件、例えば透視条件ａ１，ａ２，ａ３、撮影条件ｂ１，ｂ２，ｂ３が入力され設定される（ステップＳ７）。
【００４７】
ただし、以下の説明では、ステップＳ７の所要条件として透視条件ａ１のみを設定した場合について説明する。
【００４８】
予想被曝量・実被曝積算量評価手段１４に設ける比較・評価器４６では、ステップＳ３にて許容被曝量記憶器２４に記憶された許容被曝量テーブルから、ステップＳ５及びＳ６にて設定された患者Ａにおける部位１〜４毎の所要許容被曝量等（以下、「（患者）Ａ／（部位）１〜４／許容被曝量等」と略す。）が読み込まれる。一方、比較・評価器４６では、予想被曝量記憶器３２に記憶された予想被曝量テーブルから、ステップＳ６及びＳ７にて設定された透視条件ａ１における部位１〜４毎の所要予想被曝量（以下、「（条件）ａ１／（部位）１〜４／予想被曝量」と略す。）が読み込まれる（ステップＳ８）。
【００４９】
比較・評価器４６では、ステップＳ８にて読み込まれたＡ／１〜４／許容被曝量等と、同じくステップＳ８にて読み込まれたａ１／１〜４／予想被曝量とが部位毎に比較される。比較・評価器４６では、まず、ａ１／１〜４／予想被曝量とＡ／１〜４／許容被曝量閾値とが部位１〜４毎に比較され、ａ１／１〜４／予想被曝量のうち全ての部位のａ１／１〜４／予想被曝量が、ステップＳ３にて予め部位１〜４毎に設定されたＡ／１〜４／許容被曝量閾値以下であるか否かが判断される（ステップＳ９）。ステップＳ９にてＹｅｓ、すなわち、全ての部位のａ１／１〜４／予想被曝量がＡ／１〜４／許容被曝量閾値以下であると判断された場合、患者Ａに対して透視条件ａ１にて診断又は治療を行なっても、部位１〜４については予想被曝量のリスクレベルは小さいと評価される。よって、表示器４７に、「リスク小」の通知が部位１〜４毎に出力される（ステップＳ１０）。
【００５０】
一方、ステップＳ９にてＮｏ、すなわち、ａ１／１〜４／予想被曝量のうち少なくとも１つの部位のａ１／１〜４／予想被曝量がＡ／１〜４／許容被曝量閾値を超えると判断された場合、Ａ／１〜４／許容被曝量閾値を超える部位のａ１／１〜４／予想被曝量のうち全ての部位のａ１／１〜４／予想被曝量が、ステップ３にて予め部位１〜４毎に設定されたＡ／１〜４／許容被曝量以下であるか否かが判断される（ステップＳ１１）。ステップＳ１１にてＹｅｓ、すなわち、全ての部位のａ１／１〜４／予想被曝量がＡ／１〜４／許容被曝量以下であると判断された場合、患者Ａに対して透視条件ａ１にて診断又は治療を行なおうとすると、Ａ／１〜４／許容被曝量閾値を超えるａ１／１〜４／予想被曝量に相当する部位については予想被曝量のリスクレベルは大きいと評価される。よって、表示器４７に、Ａ／１〜４／許容被曝量閾値を超えるａ１／１〜４／予想被曝量に相当する部位について、「リスク大」の通知が出力される（ステップＳ１２）。
【００５１】
また、ステップＳ１１にてＮｏ、すなわち、ａ１／１〜４／予想被曝量のうち少なくとも１つの部位のａ１／１〜４／予想被曝量がＡ／１〜４／許容被曝量を超えると判断された場合、患者Ａに対して透視条件ａ１にて診断又は治療を行なおうとすると、Ａ／１〜４／許容被曝量を超えるａ１／１〜４／予想被曝量に相当する部位については予想被曝量のリスクレベルは特に大きいと評価される。よって、表示器４７に、「診断又は治療計画再検討」の通知が出力され（ステップＳ１３）、ステップＳ７に戻り、透視条件及び撮影条件が再検討される。
【００５２】
なお、「リスク大」及び「診断又は治療計画再検討」の通知は、音声等にて出力されてもよい。
【００５３】
図５は、所要許容被曝量等と所要予想被曝量との比較結果の表示例を示した棒グラフである。
【００５４】
図５に示された棒グラフは、ステップＳ８にて読み込まれた所要許容被曝量等、例えばＡ／１〜４／許容被曝量等と、同じくステップＳ８にて読み込まれた所要予想被曝量、例えばａ１／１〜４／予想被曝量との関係を示している。なお、表示例は図５に示された棒グラフに限定されず、例えば被曝量の数値表示及び人体分布表示等でもよい。
【００５５】
図５に示された棒グラフのような関係では、ステップＳ９の判断にてＮｏ、すなわち、ａ１／１〜４／予想被曝量のうち部位２のａ１／２／予想被曝量が、Ａ／２／許容被曝量閾値を超えると判断される。また、ステップＳ１１の判断にてＹｅｓ、すなわち、Ａ／２／許容被曝量閾値を超える部位２のａ１／２／予想被曝量が、Ａ／２／許容被曝量以下と判断される。よって、図５に示されたグラフのような関係によると、ステップＳ１２のように、患者Ａにおける部位２について「リスク大」のメッセージが表示される。
【００５６】
よって、Ａ／１〜４／許容被曝量等とａ１／１〜４／予想被曝量とが部位毎に比較されることで、診断又は治療による予想被曝量のリスクレベルを部位毎に評価することができる。
【００５７】
なお、ステップＳ３にて、許容被曝量閾値を、許容被曝量の９０％の被曝量として１つ設定したが、許容被曝量閾値を設定しなくてもよく、また、許容被曝量閾値を複数設定することで、予想被曝量のリスクレベルを数段階にて評価することができる。
【００５８】
続いて、Ｘ線診断装置１１を用いた診断又は治療が行なわれる。
【００５９】
まず、ステップＳ５にて設定された患者ＡがＸ線診断装置１１の保持装置５１に設ける寝台天板６０に載り、ステップＳ７にて設定された透視条件ａ１にて、Ｘ線管５５に送信される管電圧、管電流及びＸ線照射時間、補償フィルタ５６及びＸ線照射野絞り５７の開口度がセットされる。さらに、透視条件設定器４３では、保持装置位置条件、例えばＣアーム（図示しない）のＬＡＯ／ＲＡＯ及びＣＲＡ／ＣＡＵ、並びにＳＩＤがセットされる。
【００６０】
そして、ステップＳ６にて設定された部位１〜４にＸ線が曝射されて、患者Ａにおける所要部位１〜４の診断又は治療が、透視条件ａ１にて開始される（ステップＳ１４）。診断又は治療中、患者Ａにおける部位１〜４の実被曝量が線量計５８にてリアルタイムに計測される（ステップＳ１５）。患者Ａにおける部位１〜４の実被曝量のデータは、リアルタイムに比較・評価器４６に入力される。
【００６１】
比較・評価器４６では、ステップＳ１５にて計測された患者Ａにおける部位１〜４の実被曝量が部位１〜４毎に積算され、部位１〜４毎の実被曝積算量がリアルタイムに算出される（ステップＳ１６）。
【００６２】
さらに、比較・評価器４６では、ステップＳ１６にてリアルタイムに算出された部位１〜４の実被曝積算量のうち全ての部位の実被曝積算量が、ステップＳ４にて予め部位１〜４毎に設定されたａ１／１〜４／予想被曝量閾値以下であるか否かが判断される（ステップＳ１８）。ステップＳ１８の判断にてＹｅｓ、すなわち、全ての部位の実被曝積算量がａ１／１〜４／予想被曝量閾値以下であると判断された場合、患者Ａに対して透視条件ａ１による診断又は治療を継続してもリスクは小さいと評価される。よって、表示器４７に、「リスク小」の通知が部位毎に出力される（ステップＳ１９）。
【００６３】
一方、ステップＳ１８の判断にてＮｏ、すなわち、部位１〜４の実被曝積算量のうち少なくとも１つの部位の実被曝積算量がａ１／１〜４／予想被曝量閾値を超えると判断された場合、ａ１／１〜４／予想被曝量閾値を超える部位の実被曝積算量のうち全ての部位の実被曝積算量が、ステップＳ３にて予め部位１〜４毎に設定されたＡ／１〜４／許容被曝量閾値以下であるか否かが判断される（ステップＳ２０）。ステップＳ２０の判断にてＹｅｓ、すなわち、全ての部位の実被曝積算量がＡ／１〜４／許容被曝量閾値以下であると判断された場合、患者Ａに対して透視条件ａ１による診断又は治療を継続しようとすると、ａ１／１〜４／予想被曝量閾値を超える実被曝積算量に相当する部位については実被曝積算量のリスクが大きいと評価される。よって、表示器４７に、「リスク大」の通知が部位毎に出力される（ステップＳ２１）。
【００６４】
また、ステップＳ２０の判断にてＮｏ、すなわち、部位１〜４の実被曝積算量のうち少なくとも１つの部位の実被曝積算量がＡ／１〜４／許容被曝量閾値を超えると判断された場合、患者Ａに対して透視条件ａ１による診断又は治療を継続しようとすると、Ａ／１〜４／許容被曝量閾値を超える実被曝積算量に相当する部位については継続危険であると評価される。よって、表示器４７に、「継続危険」の通知が出力され（ステップＳ２２）、診断又は治療の終了が勧告される。また、この場合、診断又は治療を強制終了させてもよい。
【００６５】
なお、「リスク大」及び「継続危険」の通知は、音声等にて出力されてもよい。
【００６６】
図６は、所要許容被曝量等及び所要予想被曝量等と、実被曝積算量との比較結果の表示例を示した棒グラフである。
【００６７】
図６に示された棒グラフは、図５に示された棒グラフのように、ステップＳ８にて読み込まれた所要許容被曝量等、例えばＡ／１〜４／許容被曝量等と、ステップＳ８にて読み込まれた所要予想被曝量、例えばａ１／１〜４／予想被曝量との関係を示している。
【００６８】
また、図６に示された棒グラフは、Ａ／１〜４／許容被曝量等及びａ１／１〜４／予想被曝量等と、部位１〜４の実被曝積算量との関係を示している。なお、表示例は図６に示された棒グラフに限定されず、例えば被曝量の数値表示、人体分布表示等でもよい。
【００６９】
図６に示された棒グラフのような関係では、ステップＳ１８の判断にてＹｅｓ、すなわち、全ての部位１〜４の実被曝積算量が、ａ１／１〜４／予想被曝量閾値以下であると判断される。よって、図６に示されたグラフのような関係によると、ステップＳ１９のように、「リスク小」の通知が出力される。
【００７０】
また、ステップＳ１９及びＳ２１にて部位１〜４毎に通知が出力されると、Ｘ線診断装置１１を用いた診断又は治療を終了するか否かが判断される（ステップＳ２３）。ステップＳ２３の判断にてＹｅｓ、すなわち、診断又は治療を終了すると判断された場合、Ｘ線の曝射が終了される。
【００７１】
一方、ステップＳ２３の判断にてＮｏ、すなわち、診断又は治療を終了しないと判断された場合、ステップＳ１５に戻り、患者Ａにおける部位１〜４毎の実被曝量がリアルタイムに計測される。
【００７２】
なお、患者Ａにおける部位１〜４の診断又は治療中に保持装置５１の位置を動かす等、Ｘ線診断装置１１の条件が変化する場合がある。その場合、Ｘ線診断装置１１の条件変化前に積算した実被曝積算量を維持したままステップＳ１５に戻り、条件変化後の実被曝量を、維持された実被曝積算量に積算していくものとする。
【００７３】
放射線診療従事者は、表示器４７に出力された、図６に示されたグラフ等を見ながら患者Ａにおける部位１〜４の診断又は治療を行なうことで、部位１〜４への実被曝積算量の時間的な変動をリアルタイムに把握することができる。さらに、放射線診療従事者は、現在の部位１〜４への実被曝積算量が、Ａ／１〜４／許容被曝量等及びａ１／１〜４／予想被曝量等に対してどの程度なのかをリアルタイムに把握することもできる。
【００７４】
なお、予想被曝量閾値及び許容被曝量閾値を、予想被曝量及び許容被曝量の９０％の被曝量として１つずつ設定したが、予想被曝量閾値及び許容被曝量閾値を設定しなくてもよく、また、予想被曝量閾値及び許容被曝量閾値を複数設定することで、現在の実被曝積算量のリスクレベルを数段階にてリアルタイムに評価することができる。
【００７５】
また、本実施の形態では、Ｘ線装置としてＸ線診断装置１１を用いて説明したが、Ｘ線診断装置１１に限定されるものではなく、例えばＣＴ（Computerized Tomography）装置を用いた診断にも適用できる。
【００７６】
放射線被曝量評価システム１０及びその評価方法によると、診断又は治療計画の段階で、所要患者毎及びＸ線診断装置１１の所要条件毎に、所要許容被曝量と所要予想被曝量とを比較し、所要許容被曝量に対する所要予想被曝量を部位毎に評価することができ、所要患者における所要部位の診断又は治療計画の妥当性を適正に判断できる。
【００７７】
また、放射線被曝量評価システム１０及びその評価方法によると、診断又は治療中、所要患者毎及びＸ線診断装置１１の所要条件毎に、所要許容被曝量及び所要予想被曝量と実被曝積算量とを比較し、所要許容被曝量及び所要予想被曝量に対する実被曝積算量を部位毎に評価することができ、所要患者における所要部位の診断又は治療の妥当性を適正にリアルタイムに判断できる。
【図面の簡単な説明】
【００７８】
【図１】本発明に係る放射線被曝量評価システムの実施の形態を示す概略図。
【図２】許容被曝量テーブルの一例を示す図。
【図３】予想被曝量テーブルの一例を示す図。
【図４】本発明に係る放射線被曝量評価方法を示すフローチャート。
【図５】所要許容被曝量等と所要予想被曝量との比較結果の表示例を示した棒グラフ。
【図６】所要許容被曝量等及び所要予想被曝量等と、所要部位の実被曝積算量との比較結果の表示例を示した棒グラフ。
【符号の説明】
【００７９】
１０  放射線被曝量評価システム
１１  Ｘ線診断装置
１２  許容被曝量設定・記憶手段
１３  予想被曝量設定・記憶手段
１４  予想被曝量・実被曝積算量評価手段
【図１】
0004612319.tif 000002
【図２】
0004612319.tif 000003
【図３】
0004612319.tif 000004
【図４】
0004612319.tif 000005
【図５】
0004612319.tif 000006
【図６】
0004612319.tif 000007